(57)【要約】【課題】解決することまたは問題解決を必要とすることを要する失敗を結果として招き得る動作をユーザが実行できないことを確実にすること。【解決手段】清掃器具は、気流から塵埃を分離するための塵埃分離器と、主本体と、を備え、塵埃分離器が、気流から分離された塵埃を収集するための容器を備え、主本体が、容器の側壁に沿って延在するランナ部分を備え、容器が、動作位置と伸長位置との間でランナ部分に沿ってスライド可能であり、解放キャッチが、ランナ部分にある構造部と解放可能に係合し、容器が清掃器具から分離されることを防止し、解放キャッチが、容器の側壁に位置し、それにより、解放キャッチが、容器が伸長位置になければ、主本体のランナ部分によって隠されている。【選択図】図３
2019118818.tif 000002
【特許請求の範囲】
【請求項１】
気流から塵埃を分離するための塵埃分離器と、主本体と、を備える清掃器具であって、
前記塵埃分離器が、気流から分離された塵埃を収集するための容器を備え、
前記主本体が、前記容器の側壁に沿って延在するランナ部分を備え、
前記容器が、動作位置と伸長位置との間で前記ランナ部分に沿ってスライド可能であり、
解放キャッチが、前記ランナ部分にある構造部と解放可能に係合し、前記容器が当該清掃器具から分離されることを防止し、
前記解放キャッチが、前記容器の前記側壁に位置し、それにより、前記解放キャッチが、前記容器が前記伸長位置になければ、前記主本体の前記ランナ部分によって隠されていることを特徴とする清掃器具。
【請求項２】
前記解放キャッチが、前記容器の前記側壁に回動可能に固定されていることを特徴とする請求項１に記載の清掃器具。
【請求項３】
前記解放キャッチが、前記容器の前記側壁から離間するように前記ランナ部分にある前記構造部に向けて付勢されていることを特徴とする請求項１に記載の清掃器具。
【請求項４】
前記容器が、まず当該容器を前記動作位置から前記伸長位置へスライドさせ、そして前記解放キャッチを前記構造部から係合解除させ、その後当該容器を同じ方向にスライドさせ続けることによって、当該清掃器具から取り外し可能であることを特徴とする請求項１から３のいずれか１項に記載の清掃器具。
【請求項５】
前記容器が、当該容器の前記側壁にヒンジ接続状態で取り付けられた容器蓋を備え、
前記容器蓋が、塵埃が前記容器内に保持されたままである閉塞位置と、塵埃を前記容器内に保持できる開放位置と、の間で回動移動可能であることを特徴とする請求項１から４のいずれか１項に記載の清掃器具。
【請求項６】
容器蓋キャッチが、前記容器蓋を前記閉塞位置で保持し、
前記容器蓋キャッチが、前記容器が前記動作位置から前記伸長位置に達すると、解放されることを特徴とする請求項５に記載の清掃器具。
【請求項７】
当該清掃器具が、手持型真空掃除機であることを特徴とする請求項１から６のいずれか１項に記載の清掃器具。
【発明の詳細な説明】
【技術分野】
【０００１】
本発明は、清掃器具に関する。
【背景技術】
【０００２】
真空掃除機への改良は、常に探求されている。特に、ユーザが真空掃除機を使用することをより容易にする、及び、ユーザが可能な最良の方法で真空掃除機を使用することを促進する、改良である。
【発明の概要】
【発明が解決しようとする課題】
【０００３】
望ましいことは、解決することまたは問題解決を必要とすることを要する失敗を結果として招き得る動作をユーザが実行できないようにすることを確実とすること、である。
【課題を解決するための手段】
【０００４】
本発明の第１態様は、真空掃除機を提供しており、この真空掃除機は、気流から塵埃を分離するための塵埃分離器と、主本体と、を備え、塵埃分離器が、気流から分離された塵埃を収集するための容器を備え、主本体が、容器の側壁に沿って延在するランナ部分を備え、容器が、動作位置と伸長位置との間でランナ部分に沿ってスライド可能であり、解放キャッチが、ランナ部分にある構造部と解放可能に係合し、容器が清掃器具から分離されることを防止し、解放キャッチが、容器の側壁に位置し、それにより、解放キャッチが、容器が伸長位置になければ、主本体のランナ部分によって隠されている。
【０００５】
その結果、容器は、いったん容器を動作位置から伸長位置へ移動させたときにのみ取り外され得、使用中に容器を偶発的に取り外してしまう可能性を低減する。さらに、容器は、伸長位置にあるときに容器から塵埃を空にしたときにのみ塵埃分離器から取り外され得る。その上、容器が動作位置にあるときに解放キャッチをランナ部分内に隠すことによって、清掃器具の外観は、きれいであり、雑然に見えず、より審美的に魅力的な器具をもたらす。
【０００６】
キャッチは、容器の側壁に回動可能に固定され得る。これにより、ユーザが作動させやすい非常に簡素なキャッチ機構を提供し、このため、製造が安価である。
【０００７】
キャッチは、容器の側壁から離間してランナにある構造部に向かうように付勢され得る。その結果、キャッチは、どのように清掃器具を保持していても、ランナ部分にある構造部と常に係合している。
【０００８】
容器は、まず容器を動作位置から伸長位置へスライドさせ、そしてキャッチを構造部から係合解除し、その後容器を同じ方向でスライドさせ続けることによって、清掃器具から取り外し可能であり得る。
【０００９】
容器は、容器の側壁にヒンジ式に取り付けられた容器蓋を備え得、容器蓋は、塵埃が容器内に保持されている閉塞位置と、塵埃を容器内に保持できる開放位置と、の間で回動式に移動可能である。これにより、容器から塵埃を容易に空にすることが可能となる。
【００１０】
容器蓋キャッチは、容器蓋を閉塞位置で解放可能に保持し得、容器蓋キャッチは、容器が動作位置から伸長位置に達すると解放され得る。容器が伸長位置にあることに応じてキャッチが解放されるので、塵埃を空にするより衛生的な手順を実現する。
【００１１】
清掃器具は、手持型の真空掃除機であり得る。
【００１２】
本発明をより迅速に理解し得るために、以下の添付の図面を参照しながら、本発明の実施形態をここで例として説明する。
【図面の簡単な説明】
【００１３】
【図１】真空掃除機を示す図である。
【図２Ａ】容器開放手順中のある段階における図１の真空掃除機を示す図である。
【図２Ｂ】容器開放手順中の別の段階における図１の真空掃除機を示す図である。
【図３】容器を取り外した図１の真空掃除機を示す図である。
【図４Ａ】容器を真空掃除機から取り外す手順中のある段階における解放キャッチの領域における図１の真空掃除機の一部を通る断面図である。
【図４Ｂ】容器を真空掃除機から取り外す手順中の別の段階における解放キャッチの領域における図１の真空掃除機の一部を通る断面図である。
【図４Ｃ】容器を真空掃除機から取り外す手順中の別の段階における解放キャッチの領域における図１の真空掃除機の一部を通る断面図である。
【図４Ｄ】容器を真空掃除機から取り外す手順中の別の段階における解放キャッチの領域における図１の真空掃除機の一部を通る断面図である。
【発明を実施するための形態】
【００１４】
図１は、手持型真空掃除機の形態にある清掃器具を示しており、この真空掃除機は、塵埃分離器２と、主本体３と、ハンドル４と、バッテリパック５の形態にある電源と、入口６と、有する。主本体３は、塵埃分離器２を支持するランナ部分２８を備える。フィルタ組立体７は、真空掃除機１の後部において、主本体３に取り付けられている。真空掃除機１は、ハンドル４にあるトリガ８によって動作される。
【００１５】
塵埃分離器２は、第１分離段及び第２分離段を有する。第１分離段は、容器２０を画成する筒状外壁２１を備える。図１において、容器２０は、動作位置にある。筒状内壁２５は、容器２０の内側に位置する微細塵埃収集チャンバを画成する。容器蓋９の形態にある閉塞部材は、ヒンジ１０において塵埃分離器２の外壁２１にヒンジ状に取り付けられている。容器蓋９は、塵埃が容器２０及び微細塵埃収集チャンバの開口端部から出ることができる開放位置と、容器蓋９が容器２０及び微細塵埃収集チャンバ双方の開口端部を封止する閉塞位置と、の間でヒンジ１０回りに回動可能である。容器蓋９は、内壁２５に当接して封止する封止体３０を備える。容器蓋９の中央部分は、穴部または開口部を備えており、吸引入口６は、この穴部または開口部を通るように突出している。
【００１６】
容器２０の内側には、筒状スクリーン２３及びシュラウドスカート２４を備えるシュラウド２２がある。動作中、空気は、主本体３内に収容されているファンモータによって入口６を通して真空掃除機１内に引き込まれる。塵埃含有空気は、シュラウド２２の側壁内にある分離器入口（図示略）を通して容器２０に入り、この側壁は、この側壁と入口との間に延在する入口ダクトによって入口６に結合されており、入口ダクトは、微細塵埃収集チャンバの内側を通って延在する。シュラウドスクリーン２３には、複数の穿孔を設けられており、空気は、これら穿孔を通して第１分離段から出る。
【００１７】
第２分離段は、複数のサイクロン体２６を備える。空気は、残りの塵埃を気流から分離するサイクロン体２６を通過する。第２分離段で分離された塵埃は、内壁２５によって分離された微細塵埃収集チャンバ内に集まる。清浄化された空気は、サイクロン２６から出て、主筐体３内にあるファンモータを通り、そして、フィルタ組立体７を通して真空掃除機１から排出される。
【００１８】
容器２０及び微細塵埃収集チャンバを空にするため、容器蓋９を開き得る。図２Ａ及び図２Ｂは、容器を空にする手順中の異なる段階における真空掃除機１を示す。塵埃分離器２には、外壁２１に固定された容器開放アクチュエータ２７が設けられている。図２Ａにおいて矢印Ａで示すように、容器開放アクチュエータ２７をハンドル４から離間する方向に押すと、容器２０（すなわち、外壁２１及び容器蓋９の双方）は、同じ方向で真空掃除機１のランナ部分２８に沿ってスライドさせられる。シュラウド２２、内壁２５及び入口６は、これらシュラウド、内壁及び入口が主本体３に固定されているので、静止したままである。封止体３０は、内壁２５から分離され、第２塵埃収集チャンバ３２の開口端部を露出させる。いったん外壁２１がハンドルから離間する方向のある点に達すると、容器２０は、図２Ｂに示すように、伸長位置にある。伸長位置において、外壁２１は、移動を停止し、容器蓋９を閉塞させたままとする容器蓋キャッチ３３を解放する。容器蓋９は、ヒンジ接続されており、ヒンジ１０にある付勢部材は、容器蓋９を開放位置へ付勢している。したがって、容器蓋キャッチ３３を解放するとすぐに、容器蓋９は、ヒンジ１０周りに回動し、矢印Ｂに示すように、旋回して開く。容器２０及び微細塵埃収集チャンバ３２内に収集されている塵埃は、ここで、塵埃分離器２から出される。
【００１９】
塵埃分離器２を閉塞するステップは、外壁２１を元の動作位置へ戻るようにスライドさせるステップと、容器蓋キャッチ３３が再び係合して容器蓋９を閉塞位置に保持するまで、容器蓋９を閉塞位置へ回動させるステップと、を備える。
【００２０】
容器２０を完全に空にするすなわち清掃することを実行するために、図３に示すように、容器を真空掃除機１から取り外し得る。容器２０が図２Ｂに示す伸長位置にあると、解放キャッチ４０の作動部分４２が視認可能である。
【００２１】
図４Ａから図４Ｄは、容器２０を真空掃除機１から取り外すための手順中の異なる段階における解放キャッチの領域における容器２０及びランナ２８の一部を通る横断面図を示している。キャッチ４０は、容器２０の外壁２１に固定されており、それにより、図４Ａに示すように、主として、キャッチをランナ部分の内側の視野から隠している。キャッチ４０は、作動部分４２及び係合部分４４と、回動点４６と、を備える。キャッチ４０は、バネ４８によって外壁２１から離間するように付勢されており、作動部分４２に力をかけることによって作動され得、それにより、バネ４８は、キャッチが回動点４６回りに外壁２１に向けて回動するにつれて圧縮させられる。
【００２２】
外壁は、容器を伸長位置へ移動させると、矢印Ａの方向で移動させられる。外壁は、キャッチ４０の係合部分４４がランナ部分２８にある構造部５０に当接すると、移動を停止し、これにより、図４Ｂに示すように、容器が伸長位置からさらに前方へ移動することを防止する。図４Ｂは、同様に、キャッチ４０の係合部分４４がランナ部分２８にある構造部５０に当接したときにどのようにキャッチ４０の作動部分４２がランナ部分２８の外側に延在するかを示している。したがって、作動部分は、ユーザにアクセス可能であり、矢印Ｄに示すように、作動部分４２を外壁２１に向けて押すことによって、作動され得る。
【００２３】
図４Ｃに示すように、いったんキャッチ４０を作動させると、キャッチ４０の係合部分４４は、ランナ部分にある構造部５０から係合解除され、この構造部にはもはや当接しておらず、外壁は、再び、矢印Ｅの方向で移動自在である。そして、図４Ｄに示すように、構造部を越えて移動した後、外壁２１は、妨げられずにスライドし続けることが自在となり、それにより、容器２０は、ランナ部分２８からスライドして抜けて真空掃除機１から取り外され得る。
【００２４】
このため、特有の実施形態をずっと説明したが、理解することは、特許請求の範囲によって規定されるように本発明の範囲から逸脱することなく、様々な改変をなし得ること、である。
【００２５】
例えば、本明細書において、解放キャッチ４０は、外壁２１から離間するように付勢されており、それにより、キャッチ４０の作動は、キャッチを外壁２１に向けて押すことによると説明されている。しかしながら、代替の解放キャッチは、作動が作動ボタンを側方に押すことによるように、異なるように構成され得る。
【符号の説明】
【００２６】
１  真空掃除機（清掃器具）、２  塵埃分離器、３  主筐体，主本体、９  容器蓋、２０  容器、２１  筒状外壁，外壁（側壁）、２８  ランナ部分，ランナ、４０  解放キャッチ，キャッチ、５０  構造部
【図１】
2019118818.tif 000003
【図２Ａ】
2019118818.tif 000004
【図２Ｂ】
2019118818.tif 000005
【図３】
2019118818.tif 000006
【図４Ａ】
2019118818.tif 000007
【図４Ｂ】
2019118818.tif 000008
【図４Ｃ】
2019118818.tif 000009
【図４Ｄ】
2019118818.tif 000010
【外国語明細書】
2019118818000001.pdf